(57)【要約】【課題】捕捉部材の長期使用が可能になる捕捉部材支持プレートを提供する。【解決手段】支持プレートは、インクジェット用プリンタヘッドから吐出され、記録媒体以外の領域に吐出されるインク滴の捕捉部材を上面側に載置し、廃インクタンクへ案内する貫通開口部を有し、その貫通開口部が、多角形型部、曲線図形型又は複合型貫通開口部であり、貫通開口部の内側壁面８３Ａから、貫通開口部の空隙の方向に突出する突出小片４１を有し、突出小片の上面部４１Ａが貫通開口部上面８１Ａと同一平面上にあって、捕捉部材支持プレートの上面に載置される捕捉部材の裏面と接触することが可能であるか、あるいは貫通開口部の内側壁面から陥没する陥没小溝を有し、陥没小溝の上面溝部端縁が貫通開口部上面と同一平面上にあって、捕捉部材支持プレートの上面に載置される捕捉部材の裏面と接触することが可能である。【選択図】図１２
2006256113.tif 000002
【特許請求の範囲】
【請求項１】
インクジェット記録用プリンタヘッドから吐出されるインク滴のうち、記録媒体以外の領域に吐出されるインク滴を直接に捕捉する捕捉部材を上面側に載置することができる捕捉部材支持プレートであって、
前記捕捉部材が捕捉したインク液を前記捕捉部材支持プレートの下方に配置される廃インクタンクへ案内する貫通開口部を有し、
その貫通開口部が、
（１）前記捕捉部材支持プレートの上面及び下面と平行な方向での断面形状が多角形であり、その多角形の全ての内角が狭角である多角形型貫通開口部、
（２）前記捕捉部材支持プレートの上面及び下面と平行な方向での断面形状が、弧の集合体である曲線図形であり、その曲線図形の全ての接線が外接する曲線図形型貫通開口部、又は
（３）前記捕捉部材支持プレートの上面及び下面と平行な方向での断面形状が前項（１）記載の多角形の一部分及び前項（２）記載の曲線図形の一部分との組合せである、複合型貫通開口部
であり、
前記貫通開口部の内側壁面から、前記貫通開口部の空隙の方向に突出する突出小片を有し、その突出小片の上面部が前記貫通開口部上面と同一平面上にあって、捕捉部材支持プレートの上面に載置される捕捉部材の裏面と接触することが可能であるか、あるいは
前記貫通開口部の内側壁面から陥没する陥没小溝を有し、その陥没小溝の上面溝部端縁が前記貫通開口部上面と同一平面上にあって、捕捉部材支持プレートの上面に載置される捕捉部材の裏面と接触することが可能である
ことを特徴とする、前記の捕捉部材支持プレート。
【請求項２】
前記突出小片の上面部又は前記陥没小溝の上面溝部の形状が、三角形、四角形、半円形、又は半楕円形である、請求項１に記載の捕捉部材支持プレート。
【請求項３】
前記突出小片が、前記貫通開口部上端部側の柱状上部と、前記貫通開口部下端部側の尖鋭先端部とを有する、請求項１又は２に記載の捕捉部材支持プレート。
【請求項４】
前記突出小片が錐状体であり、錐状体頂点に相当する尖鋭先端部が下端部側に位置する、請求項１又は２に記載の捕捉部材支持プレート。
【請求項５】
前記尖鋭先端部が、前記貫通開口部の下面から廃インクタンクの方向へ露出して突出している、請求項３又は４に記載の捕捉部材支持プレート。
【請求項６】
前記陥没小溝が前記貫通開口部の内側壁面の上端部から下端部まで連続して設けられている、請求項１又は２に記載の捕捉部材支持プレート。
【請求項７】
前記多角形型貫通開口部の前記断面形状が長方形である、請求項１〜６のいずれか一項に記載の捕捉部材支持プレート。
【請求項８】
前記曲線図形型貫通開口部の前記断面形状が楕円である、請求項１〜６のいずれか一項に記載の捕捉部材支持プレート。
【請求項９】
前記複合型貫通開口部の前記断面形状が、長方形１つと、その長方形の短辺に融合した半円２つとの組合せ図形である、請求項１〜６のいずれか一項に記載の捕捉部材支持プレート。
【請求項１０】
前記捕捉部材がインク受容層とインク拡散層とを有する２層以上の多層構造であり、インク受容層とインク拡散層は少なくともその一部を接触させ、インク拡散層にインク受容層よりインク吸収性の高い材料を用いたことを特徴とする、請求項１〜９のいずれか一項に記載の捕捉部材支持プレート。
【請求項１１】
請求項１〜１０のいずれか一項に記載の捕捉部材支持プレートを有することを特徴とする、インクジェットプリンタ。
【請求項１２】
使用するインクが顔料インクである、請求項１１に記載のインクジェットプリンタ。
【発明の詳細な説明】
【技術分野】
【０００１】
本発明は、捕捉部材支持プレート、及びインクジェットプリンタに関する。
【背景技術】
【０００２】
インクジェット記録方式においても、銀塩写真と同様の縁無印刷が行われている。縁無印刷では、記録媒体の縁端部に非画像領域（余白）を全く残さずに、全表面を画像領域とする必要がある。そこで、記録媒体の表面から縁端部の外側にまで、プリンタヘッドからインク滴を連続的に吐出させることにより、記録媒体の縁端部にまで適正な画像を形成させることができる。このように、従来から行われている縁無印刷の原理を、以下、添付図面に沿って説明する。なお、本明細書において、プリンタに関して「下方」又は「上方」は、プリンタによって印刷が行われている状態での重力方向に関する下方又は上方を意味する。
【０００３】
最初に、縁無印刷の原理を模式的に図１及び図２に示す。図１は、インクジェット記録方式による縁無印刷の工程を模式的に示す要部拡大斜視図であり、図１（Ａ）は、記録媒体前縁部を印刷している状態を示し、図１（Ｂ）は記録媒体側縁部を印刷している状態を示し、図１（Ｃ）は記録媒体後縁部を印刷している状態を示す。図２は、図１（Ａ）の状態の模式的要部側面図である。
【０００４】
図１及び図２に示すように、インクジェット記録装置１０は、主走査方向（すなわち、記録用紙１１の幅方向；図１の矢印Ｂの方向）に延びるガイド軸１２に沿って往復移動するキャリッジ１４に搭載された記録ヘッド１３と、この記録ヘッド１３の下方に対向して配置されたプラテン（図示せず）を有しており、記録用紙１１は、前記記録ヘッド１３と前記プラテンとの間を、紙送り手段（図示せず）によって副走査方向（図１及び図２の矢印Ａの方向）に搬送される。
【０００５】
記録用紙１１の前縁部１１ａが記録ヘッド１３の下方まで搬送されると、図１（Ａ）及び図２に示すように、前縁部１１ａの印字が開始される。すなわち、記録ヘッド１３は、ガイド軸１２に沿って主走査方向（矢印Ｂ方向）に往復移動しながら、記録用紙１１の方向に向けてインク滴１９を吐出させることにより印刷が開始される。このとき、記録用紙１１の前縁部１１ａに余白を残さずに印刷を実行するために、記録用紙１１の前縁部１１ａの外側にもインク滴１９を吐出させる。記録用紙１１の外側に吐出されたインク滴１９は、プラテンに設けた捕捉部材３０に直接に付着し、更に捕捉部材３０の内部に浸透して、インク液捕捉領域３１を形成する。
【０００６】
記録用紙１１の前縁部１１ａの印刷が終了すると、記録用紙１１が副走査方向（矢印Ａ方向）に搬送され、記録用紙１１の中央部の印刷が行われる。中央部の印刷においては、記録用紙１１の両側の側縁部１１ｂに余白を残さずに印刷を実行するために、図１（Ｂ）に示すように、記録用紙１１の側縁部１１ｂの外側にもインク滴１９を吐出させ、このように外側に吐出されたインク滴１９は、プラテンに設けた捕捉部材３０に直接に付着して捕捉される。更に、記録用紙１１の中央部の印刷が終了すると、記録用紙１１が副走査方向（矢印Ａ方向）に搬送され、記録用紙１１の後縁部１ｃの印刷が行われる。後縁部１ｃの印刷においても、記録用紙１１の後縁部１ｃに余白を残さずに印刷を実行するために、図１（Ｃ）に示すように、記録用紙１１の後縁部１ｃの外側にもインク滴１９を吐出させ、そのインク滴１９は、プラテンに設けた捕捉部材３０に直接に付着して捕捉される。
【０００７】
図１及び図２に示すように、縁無印刷を実施するには、記録用紙１１の外側にもインク滴１９を吐出させる。従って、記録用紙１１の外側に吐出されたインク滴１９が記録用紙１１の裏面などを汚すことを防止する目的で、プラテンに捕捉部材を設ける必要がある。このような捕捉部材をプラテンに設けた代表的なインクジェット記録装置を図３〜図５に示す。
図３は、代表的なインクジェット記録装置１０Ａの斜視図であり、そのケースカバー１を開放して、特に印刷機構部を示す。印刷機構部には、インクカートリッジ２，３や記録ヘッド４Ａを搭載したキャリッジ４と、その移動経路に対向する位置にプラテン５が配置されており、更にそのプラテン５を挟む位置に、記録用紙の排出方向の上流側に第１の紙押えローラ６が配置され、下流側に第２の紙押えローラ７が配置されている。図４は、図３に示すインクジェット記録装置１０の印刷機構部の部分平面図であり、図５は、図３に示すインクジェット記録装置１０の印刷機構部の部分断面図である。
【０００８】
特に、図４及び図５に示すように、プラテン５の一部に、プラテン開口部５ａ，５ｂ，５ｃを設け、プラテン５の下方部には捕捉部材２０を配置する。プラテン開口部５ａは、記録用紙Ｐの前縁部印刷の際に、プラテン５の表面にインク滴を付着させたり、インクミストを発生させたりせずに、捕捉部材２０に直接捕捉させるための窓であり、プラテン開口部５ｂ及びプラテン開口部５ｃは、それぞれ、記録用紙Ｐの側縁部印刷及び後縁部印刷の際に用いる窓である。すなわち、記録ヘッド４Ａから吐出されたインク滴の内、記録用紙Ｐの外側に吐出されたインク滴の全ては、プラテン開口部５ａ，５ｂ，５ｃを通過して、捕捉部材２０に直接捕捉される。なお、記録用紙Ｐの裏面は、プラテン５の表面と接触しながら搬送され、その際に記録用紙Ｐの裏面が、捕捉部材２０の上面と接触することのない高さに捕捉部材２０を配置する必要がある。
【０００９】
捕捉部材２０は、図５に示すように、支持部材８に担持されており、更に、その支持部材８には支持部材開口部８ａが設けられており、この支持部材の下方には廃インクタンク９が設けられているので、捕捉部材２０に一時的に捕捉されたインク液は、支持部材開口部８ａから徐々に、廃インクタンク９に導かれ、廃インクタンク９に通常設けられている吸収保持材に吸収されて保持される。
【００１０】
前記プラテン及び捕捉部材の支持部材は、一般的に、合成樹脂から一体的に成形されており、記録用紙の搬送機能と捕捉部材の支持機能とを同時に有する捕捉部材支持プレートの形態で利用されている。こうした捕捉部材支持プレートの代表的態様を図６〜図８に示す。図６は、捕捉部材支持プレート５１の平面図であり、図７は、図６の捕捉部材支持プレート５１と、その捕捉部材支持プレート５１に収納可能な捕捉部材２０とを分離して示す分解斜視図であり、図８は、図７の捕捉部材支持プレート５１に捕捉部材２０を収納し、更に記録用紙Ｐを搬送した状態を示すVIII−VIII線断面図である。
【００１１】
図６〜図８に示すとおり、捕捉部材支持プレート５１は、外周フレーム５２と、中央搬送台部５３と、収容底部８１とを含み、収容底部８１には、貫通開口部８２（８２ａ〜８２ｈ）が設けられている。外周フレーム５２は、捕捉部材支持プレート５１の四周の側部壁を形成する。収容底部８１は、捕捉部材支持プレート５１の底部壁を形成し、その上面８１Ａが捕捉部材２０と接触して、捕捉部材２０を収納して支持することができる。
【００１２】
中央搬送台部５３は、収容底部８１の上面８１Ａの上に上方に突出して形成され、その上面５３Ａと、前記外周フレーム５２の上面５２Ａとが記録用紙Ｐの裏面と接触して、記録用紙Ｐが搬送される際のプラテンの機能を提供している。従って、中央搬送台部５３の上面５３Ａと、前記外周フレーム５２の上面５２Ａとは、同一平面となるように高さを調整する（図８参照）。
【００１３】
捕捉部材２０は、図７に示すように、中央部に中央開口部２１を有し、その中央開口部２１の大きさは、捕捉部材支持プレート５１の中央搬送台部５３の外周より大きくしてあるので、捕捉部材支持プレート５１に収容させた場合に、図８に示すように、中央搬送台部５３が、中央開口部２１から上部に突出する。また、図８に示すように、捕捉部材２０の厚さよりも、収容底部８１の深さの方が大きいので、捕捉部材２０は、記録用紙Ｐの裏面と接触しない。更に、図８に示すように、捕捉部材２０は、各々の貫通開口部８２（８２ａ〜８２ｈ）の全体を完全に覆うように収納される。従って、捕捉部材２０に一時的に捕捉されたインク液は、貫通開口部８２（８２ａ〜８２ｈ）から徐々に、廃インクタンク９（図５参照）に導かれ、廃インクタンク９に通常設けられている吸収保持材に吸収されて保持される。
【発明の開示】
【発明が解決しようとする課題】
【００１４】
しかしながら、従来の捕捉部材支持プレートにおいては、捕捉部材に一時的に捕捉されたインク液が、貫通開口部から廃インクタンクに排出されにくいことが分かってきた。また、最近は印刷物の保存性の向上を主な目的として、顔料インクが採用されている。前記のような捕捉部材は、通常、多孔質材料（例えば、ポリウレタンフォーム）から形成されているので、特に顔料インクの場合には、このような多孔質材料内にインクが浸透した場合、溶剤成分のみが速やかに浸透拡散するか又は蒸発するため、顔料等の固形成分が多孔質材料内で濃縮され、インク液の流動性が低下し、捕捉部材から廃インクタンクへの排出が円滑に行われにくくなる。
また、捕捉部材がインク受容層とインク拡散層とを有している場合、インク拡散層にインク受容層よりインク吸収性の高い材料を用いることで、インク受容層からインク拡散層へのインクの移動を速やかにすることができる。一方、このようなインク吸収性の高いインク拡散層は一般にインク保持力も高いため、結果として捕捉部材から廃インクタンクへのインクの排出が行われにくくなるという課題も発生する。
上記のように顔料インクを使用した場合や、捕捉部材中にインク吸収性の高い材料を用いた場合、捕捉部材から廃インクタンクへのインク液の移動が円滑に行われにくくなり、その結果、捕捉部材の保持力の限界までインク液が保持され、インクの受容能が低下することとなる。この状態で更にインクジェットヘッドから捕捉部材にインク液が吐出されると、捕捉部材に受容されることなく、その上面に存在する（溢れる）こととなり、この溢れたインク液により最終的には記録用紙の裏面にインクが付着したり、更に、その記録用紙の裏面からプラテン表面に転写されて、別の記録用紙の裏面まで汚したりすることとなる。こうした現象を防止するには、結果として捕捉部材を頻繁に交換することが必要になるので、捕捉部材の長期使用を可能にする技術が求められていた。
従って、本発明の課題は、捕捉部材から廃インクタンクへの排出を円滑に行わせることのできる捕捉部材支持プレートを提供し、これによって捕捉部材の長期使用を可能にすることにある。
【課題を解決するための手段】
【００１５】
前記の課題は、本発明により、インクジェット記録用プリンタヘッドから吐出されるインク滴のうち、記録媒体以外の領域に吐出されるインク滴を直接に捕捉する捕捉部材を上面側に載置することができる捕捉部材支持プレートであって、
前記捕捉部材が捕捉したインク液を前記捕捉部材支持プレートの下方に配置される廃インクタンクへ案内する貫通開口部を有し、
その貫通開口部が、
（１）前記捕捉部材支持プレートの上面及び下面と平行な方向での断面形状が多角形であり、その多角形の全ての内角が狭角である多角形型貫通開口部、
（２）前記捕捉部材支持プレートの上面及び下面と平行な方向での断面形状が、弧の集合体である曲線図形であり、その曲線図形の全ての接線が外接する曲線図形型貫通開口部、又は
（３）前記捕捉部材支持プレートの上面及び下面と平行な方向での断面形状が前項（１）記載の多角形の一部分及び前項（２）記載の曲線図形の一部分との組合せである、複合型貫通開口部
であり、
前記貫通開口部の内側壁面から、前記貫通開口部の空隙の方向に突出する突出小片を有し、その突出小片の上面部が前記貫通開口部上面と同一平面上にあって、捕捉部材支持プレートの上面に載置される捕捉部材の裏面と接触することが可能であるか、あるいは
前記貫通開口部の内側壁面から陥没する陥没小溝を有し、その陥没小溝の上面溝部端縁が前記貫通開口部上面と同一平面上にあって、捕捉部材支持プレートの上面に載置される捕捉部材の裏面と接触することが可能である
ことを特徴とする、前記の捕捉部材支持プレートによって解決することができる。
【００１６】
本発明による捕捉部材支持プレートの好ましい態様によれば、前記突出小片の上面部又は前記陥没小溝の上面溝部の形状が、三角形、四角形、半円形、又は半楕円形である。
本発明による捕捉部材支持プレートの別の好ましい態様によれば、前記突出小片が、前記貫通開口部上端部側の柱状上部と、前記貫通開口部下端部側の尖鋭先端部とを有する
本発明による捕捉部材支持プレートの更に別の好ましい態様によれば、前記突出小片が錐状体であり、錐状体頂点に相当する尖鋭先端部が下端部側に位置する。
また、本発明による捕捉部材支持プレートの更に別の好ましい態様によれば、前記尖鋭先端部が、前記貫通開口部の下面から廃インクタンクの方向へ露出して突出している。
また、本発明による捕捉部材支持プレートの更に別の好ましい態様によれば、前記陥没小溝が前記貫通開口部の内側壁面の上端部から下端部まで連続して設けられている。
また、本発明による捕捉部材支持プレートの更に別の好ましい態様によれば、前記多角形型貫通開口部の前記断面形状が長方形である。
また、本発明による捕捉部材支持プレートの更に別の好ましい態様によれば、前記曲線図形型貫通開口部の前記断面形状が楕円である。
また、本発明による捕捉部材支持プレートの更に別の好ましい態様によれば、前記複合型貫通開口部の前記断面形状が、長方形１つと、その長方形の短辺に融合した半円２つとの組合せ図形である。
また、本発明による捕捉部材支持プレートの更に別の好ましい態様によれば、前記捕捉部材がインク受容層とインク拡散層とを有する２層以上の多層構造であり、インク受容層とインク拡散層は少なくともその一部を接触させ、インク拡散層にインク受容層よりインク吸収性の高い材料を用いたことを特徴とする。
【００１７】
また、本発明は前記の捕捉部材支持プレートを有することを特徴とする、インクジェットプリンタにも関する。
本発明によるインクジェットプリンタの好ましい態様によれば、使用するインクが顔料インクである。
【００１８】
本明細書において、上下の位置関係（例えば、「上方」、「下方」、「上面」、又は「下面」）は、本発明の捕捉部材支持プレートをプリンタに設置し、そのプリンタによって印刷が行われている状態での上下関係（重力方向）のみを示しており、それ以外の状態（例えば、捕捉部材支持プレート単独での搬送時又は組み立て時の状態）における位置関係を限定するものではない。「裏面」や「底」も、前記の上下関係（重力方向）での「裏面」や「底」のみを意味する。
なお、本明細書において、プリンタに関して「下方」又は「上方」は、プリンタによって印刷が行われている状態での重力方向に関する下方又は上方を意味する。
【発明の効果】
【００１９】
本発明の捕捉部材支持プレートにおいては、貫通開口部が突出小片及び／又は陥没小溝を有しているので、多孔質捕捉部材に一時的に捕捉されたインク液が、貫通開口部から廃インクタンクに円滑に排出され、インク液の捕捉部材での滞留が改善される。従って、捕捉部材の表面上で顔料粒子が次第に成長してプラテン開口部の上方に突出する現象を有効に遅延させることができ、捕捉部材の長期使用が可能になる。
【発明を実施するための最良の形態】
【００２０】
本発明の捕捉部材支持プレートは、例えば、図６〜図８に示す態様の構造を有し、その貫通開口部の内側壁面に、突出小片及び／又は陥没小溝を有している。
図６〜図８に示す態様の捕捉部材支持プレート５１の収容底部８１には、貫通開口部８２（８２ａ〜８２ｈ）が設けられており、その断面形状（収容底部８１の上面及び下面と平行な方向での断面形状）は、それぞれ長方形である。しかしながら、本発明の捕捉部材支持プレートにおいて、貫通開口部の前記断面形状は、前記の長方形に限定されるものではない。
【００２１】
本明細書において、貫通開口部の断面形状は、特に断らない限り、捕捉部材支持プレートの上面及び下面と平行な方向の断面形状を意味する。本発明の捕捉部材支持プレートにおいて、貫通開口部の断面形状は、
（１）全ての内角が狭角である多角形〔以下、狭角多角形〕、
（２）全ての接線が外接する弧の集合体である曲線図形〔以下、外接曲線図形〕、又は
（３）前項（１）記載の多角形の一部分及び前項（２）記載の曲線図形の一部分との組合せである複合形〔以下、単に複合形〕
である。
【００２２】
本明細書において「狭角」とは、０°より大で、１８０°未満の角度を意味する。従って、例えば、図９に示す六角形において、「狭角」である内角とは、角度Ａ１〜Ａ５の内角が相当し、角度Ａ６は１８０°を超えるので、「狭角」である内角に相当しない。
本発明の捕捉部材支持プレートの多角形型貫通開口部において、前記狭角多角形は、特に限定されるものではないが、好ましくは四角形であり、特に好ましくは長方形又は正方形である。
【００２３】
本明細書において、接線が外接する弧とは、例えば、図１０の曲線図形において、接線Ｂ１〜Ｂ３を有する弧は「接線が外接する弧」に相当し、接線Ｂ４及びＢ５は接線が外接する弧に相当する。従って、本明細書において「全ての接線が外接する弧の集合体」とは、例えば、図１０の曲線図形において、接線Ｂ１〜Ｂ３を有する弧のみから構成され、接線Ｂ４及びＢ５を有する弧Ｃを含まない円形図形を意味する。
本発明の捕捉部材支持プレートの外接曲線図形型貫通開口部において、前記外接曲線図形は、特に限定されるものではないが、好ましくは楕円形又は真円形である。
【００２４】
本発明の捕捉部材支持プレートの複合形型貫通開口部において、前記複合形は、特に限定されるものではないが、例えば、図１１に示すように、１つの長方形Ｒと、その長方形Ｒの短辺Ｓ１，Ｓ２に融合した２つの半円Ｈ１，Ｈ２との組合せ図形８２Ｓである。
【００２５】
本発明の捕捉部材支持プレートは、前記貫通開口部の内側壁面に、突出小片及び／又は陥没小溝１つ又は複数個を有している。
以下、それら突出小片及び陥没小溝の具体的態様を添付図面に沿って順に説明する。
図１２は、長方形型貫通開口部８２ａの内側壁面８３Ａ（図７参照）に設けた四角柱型突出小片４１の部分斜視図である。四角柱型突出小片４１の上面部４１Ａは、収容底部８１（図７参照）の上面８１Ａと同一平面上に設けられる。従って、捕捉部材２０が捕捉部材支持プレート５１に収容された場合には、四角柱型突出小片４１の上面部４１Ａが、捕捉部材２０の裏面と接触する。四角柱型突出小片４１は、上端部側の四角柱状上部４１ａと下端部側の尖鋭先端部４１ｂとを有する。
【００２６】
図１２に示すような四角柱型突出小片４１において、尖鋭先端部４１ｂを設ける位置は限定されず、図１２に示すように長方形型貫通開口部８２ａの内側壁面８３Ａの側に設けることができるだけでなく、例えば、図１３に示す四角柱型突出小片４２のように、貫通開口部の空隙部側に設けることもできる。図１３に示す四角柱型突出小片４２も、その上面部４２Ａは、収容底部８１の上面８１Ａと同一平面上に設けられ、捕捉部材２０が捕捉部材支持プレート５１に収容された場合には、上面部４２Ａが、捕捉部材２０の裏面と接触する。四角柱型突出小片４２は、上端部側の四角柱状上部４２ａと下端部側の尖鋭先端部４２ｂとを有する。
【００２７】
更に、四角柱型突出小片の尖鋭先端部は、四角柱の１つの側面から延びる下方端部に設けるだけでなく、例えば、図１４に示す四角柱型突出小片４３のように、四角柱底面に三角柱を設けた形状の尖鋭先端部４３ｂを有することもできる。なお、図１４の四角柱型突出小片４３においては、上端部側の四角柱状上部４３ａが、上端側から下端側の方向に向かって、対向する一対の側面４３Ｂ，４３Ｂの間隔が徐々に狭くなる形状を有している。
【００２８】
本発明の捕捉部材支持プレートにおいて、前記貫通開口部は、図１５に示すように、半円柱型突出小片４４を有することもできる。半円柱型突出小片４４の上面部４４Ａは、収容底部８１（図７参照）の上面８１Ａと同一平面上に設けられる。従って、捕捉部材２０が捕捉部材支持プレート５１に収容された場合には、半円柱型突出小片４４の上面部４４Ａが、捕捉部材２０の裏面と接触する。半円柱型突出小片４４は、上端部側の半円柱状上部４４ａと下端部側の尖鋭先端部４４ｂとを有する。
【００２９】
本発明の捕捉部材支持プレートにおいて、前記貫通開口部は、図１６に示すように、半円錐型突出小片４５を有することもできる。半円錐型突出小片４５の上面部４５Ａは、収容底部８１（図７参照）の上面８１Ａと同一平面上に設けられる。従って、捕捉部材２０が捕捉部材支持プレート５１に収容された場合には、半円錐型突出小片４５の上面部４５Ａが、捕捉部材２０の裏面と接触する。半円錐型突出小片４５は、下端部側に尖鋭先端部４５ｂを有する。
【００３０】
本発明の捕捉部材支持プレートにおいて、前記貫通開口部は、図１７に示すように、三角柱型突出小片４６を有することもできる。三角柱型突出小片４６の上面部４６Ａは、収容底部８１（図７参照）の上面８１Ａと同一平面上に設けられる。従って、捕捉部材２０が捕捉部材支持プレート５１に収容された場合には、三角柱型突出小片４６の上面部４６Ａが、捕捉部材２０の裏面と接触する。この三角柱型突出小片４６は、下端部側に尖鋭先端部を有していない。
【００３１】
本発明の捕捉部材支持プレートにおいて、前記貫通開口部は、図１８に示すように、尖鋭先端部４７ｂを備えた三角柱型突出小片４７を有することもできる。三角柱型突出小片４７の上面部４７Ａは、収容底部８１（図７参照）の上面８１Ａと同一平面上に設けられる。従って、捕捉部材２０が捕捉部材支持プレート５１に収容された場合には、三角柱型突出小片４７の上面部４７Ａが、捕捉部材２０の裏面と接触する。この三角柱型突出小片４７は、収容底部８１の裏面８１Ｂから下方に突出して設けた尖鋭先端部４７ｂを有しており、その尖鋭先端部４７ｂの側面で、三角柱型突出小片４７の上面部４７Ａから延びる三角柱と一体化している。
【００３２】
本発明の捕捉部材支持プレートにおいて、前記貫通開口部は、図１９に示すように、Ｖ字形陥没小溝６１を含むことができる。このＶ字形陥没小溝６１は、前記貫通開口部の内側壁面８３Ａの上端部６１Ａから下端部６１Ｂまで連続して、しかも溝のＶ字形状を一定に維持したまま設けられている。なお、溝の形状を、上端部６１Ａから下端部６１Ｂの方向に、徐々に変化させることもできる。Ｖ字形陥没小溝６１の上端部６１Ａは、収容底部８１（図７参照）の上面８１Ａと同一平面上に設けられる。従って、捕捉部材２０が捕捉部材支持プレート５１に収容された場合には、Ｖ字形陥没小溝６１の上端部６１Ａが、捕捉部材２０の裏面と接触する。
【００３３】
本発明の捕捉部材支持プレートにおいて、前記貫通開口部は、図２０に示すように、半円柱形陥没小溝６２を含むことができる。この半円柱形陥没小溝６２は、前記貫通開口部の内側壁面８３Ａの上端部６２Ａから下端部６２Ｂまで連続して、しかも溝の半円形状を一定に維持したまま設けられている。なお、溝の形状を、上端部６２Ａから下端部６２Ｂの方向に、徐々に変化させることもできる。半円柱形陥没小溝６２の上端部６２Ａは、収容底部８１（図７参照）の上面８１Ａと同一平面上に設けられる。従って、捕捉部材２０が捕捉部材支持プレート５１に収容された場合には、半円柱形陥没小溝６２の上端部６２Ａが、捕捉部材２０の裏面と接触する。
【００３４】
本発明者は、図６〜図８に示す従来の捕捉部材支持プレート５１の前記貫通開口部８２（８２ａ〜８２ｈ）に、図１２〜図１８に示す各種の突出小片を設けて実験を行ったところ、多孔質捕捉部材に一時的に捕捉されたインク液が、貫通開口部から廃インクタンクに円滑に排出され、インク液の捕捉部材での滞留が回避され、結果として、捕捉部材の長期使用が可能になることを確認した。例えば、ウレタンフォームからなる捕捉部材に、インクジェット記録用水系顔料インクによって印字を行うと、貫通開口部に突出小片を設けていない場合には、捕捉部材を数百ページ程度で交換する必要があるのに対し、貫通開口部に突出小片を設けると、捕捉部材を数千ページ程度まで交換する必要がないことが確認されている。
【００３５】
本発明の捕捉部材支持プレートにおいて、前記貫通開口部に設けることのできる突出小片の上面部の形状又は前記陥没小溝の上面溝部の形状は、三角形、四角形（特には、長方形又は正方形）、又は半円形であることができ、あるいは半楕円形であることもできる。
【００３６】
前記突出小片は、前記貫通開口部上端部側の柱状上部と、前記貫通開口部下端部側の尖鋭先端部とを有する態様であるか、あるいは尖鋭先端部を有していない態様であることができる。また、前記突出小片は、前記貫通開口部の内側壁面において、その上端部から下端部側まで、あるいはその上端部から下端部側に突出させて設けることができるが、上端部から下端部に達しない途中の壁面まで設けることもできる。
【００３７】
前記突出小片の下端部側に設けることのできる尖鋭先端部は、図１２〜図１５及び図１８に示すように、線状であるか、あるいは図１６に示すように、錐体の頂点のような点状であることができる。また、前記突出小片の下端部側に設けることのできる尖鋭先端部は、前記貫通開口部の下面から廃インクタンクの方向へ露出して突出していることができる。
【００３８】
本発明の捕捉部材支持プレートにおいて、前記貫通開口部に設けることのできる前記陥没小溝は、前記貫通開口部の内側壁面の上端部から下端部まで連続して設けることが好ましい。
【００３９】
本発明の捕捉部材支持プレートにおいて、各々の貫通開口部には、突出小片及び／又は陥没小溝を１つ又は複数個設けることができる。例えば、図６〜図８に示す捕捉部材支持プレートにおいて、１ｃｍ〜２ｃｍ程度の長方形型貫通開口部８２ａの１つの側壁８３ａに、図１３に示す四角柱型突出小片（上面部：０．５ｃｍ×０．５ｃｍ）１つを設けるだけで、充分な効果を得ることができる。
【００４０】
本明細書において「捕捉部材」とは、インクジェット記録用プリンタヘッドから吐出されるインク滴のうち、記録媒体以外の領域に吐出されるインク滴を直接に着弾させて捕捉する部材として使用されるものであり、従来から同様の目的で、インクジェット記録用プリンタにおいて「インク吸収材」などと称されて使用されている。また、「記録媒体以外の領域」とは、記録媒体表面以外にインク滴を吐出する任意の領域であり、代表的には、縁無印刷の際の記録媒体周縁に隣接する外側領域であり、更には、プリンタヘッドのフラッシングの際の吐出領域を含む。前記のフラッシングは、記録媒体が搬送されない所定のフラッシングポジションにおいて、プリンタヘッドからインク組成物を強制的に吐出させてプリンタヘッドの吐出不良を回避する目的で実施する処理である。このフラッシングポジションにも前記の捕捉部材を設けることができる。
【００４１】
本発明で用いる捕捉部材は、従来の同種の捕捉部材と同様に、インクヘッドから吐出されたインク滴を直接に着弾させて受け入れ、完全に捕捉する必要がある。例えば、縁無印刷の際に、記録媒体の外側領域に吐出されるインク滴が完全に捕捉されずに記録媒体の周縁部でミスト化された状態で浮遊すると、記録画像や記録媒体を汚染し、更にはプラテン表面の記録媒体接触面を汚染することがある。また、捕捉部材にインク液が捕捉されている状態で、プリンタ設置場所の変更などの際にプリンタが９０°程度回転させられることがあっても、インク液を漏出させない程度の保持能を有することが好ましい。更に、捕捉部材は、捕捉したインク液を、順次、廃インクタンクに移動させ、次のインク滴を捕捉するための受容能を維持する必要がある。
【００４２】
本発明で用いる捕捉部材は、前記の機能を有する任意の材料から調整することができ、従来から、捕捉部材として用いられている多孔質材料からなることが好ましく、特に好ましくは、個々の気孔が連通している連続多孔質材料からなることがより好ましい。
多孔質材料としては、例えば、プラスチック製の発泡体シート又は有孔体シート、あるいは繊維質材料（例えば、ウエブ、網状体、織物、編物、又は不織布）のシートを用いることができる。プラスチック製発泡体としては、例えば、ポリウレタンフォーム、ポリビニルアルコール（ＰＶＡ）スポンジ、フッ素樹脂多孔質体などを挙げることができる。
【００４３】
本発明で用いる捕捉部材は、単層構造であることも、２層以上の多層構造であることもできる。２層からなる場合は、インク受容層とインク拡散層とからなることが好ましい。前記インク受容層は、プリンタヘッドから吐出されたインク滴を直接に着弾させて、捕捉する層であり、前記インク拡散層は、インク受容層に捕捉されたインク液を保持しつつ、廃インクタンクに移動させる層である。インク受容層とインク拡散層は少なくともその一部を接触させ、インク拡散層にインク受容層よりインク吸収性の高い材料を用いることがより好ましい。また、これらのインク受容層及びインク拡散層が、それぞれ、２層以上の多層構造を有することもできる。
【００４４】
前記インク受容層と前記インク拡散層との組合せとしては、例えば、撥水性を有する高分子化合物製（例えば、フッ素樹脂製）の網状シートと、親水性高分子化合物製の多孔質シートやフェルト材との組合せ、あるいはポリウレタンフォームシートとＰＶＡスポンジシートとの組合せを挙げることができる。
特に、ポリウレタンフォームとポリビニルアルコール（ＰＶＡ）スポンジシートとの組み合わせが好ましい。ポリウレタンフォームと比較して高密度のＰＶＡスポンジシートを、少なくともインクジェットヘッドの印字領域より大きい範囲に設置することで、ポリウレタンフォームに受容されたインク全てを速やかにインク拡散層のＰＶＡスポンジシートに移動させることができる。すなわち、ポリウレタンフォームは重力方向にインク液を移動させるため、移動領域より大きい範囲にＰＶＡスポンジシートを設置することで、ウレタンフォームに受容されたインクが効率的にその下方に設置されたＰＶＡスポンジに移動されることとなる。更に、ＰＶＡスポンジシートの保持能によりプリンタを傾けた場合のインクの漏出についても防止しやすくなる。
上記のようなインク捕捉部材に受容されたインク液は、拡散層のＰＶＡスポンジシートに移動より、本発明の捕捉部材支持プレートの開口部に設けられた突出小片又は陥没小溝を経由して速やかに最下面の廃インクタンクへと排出される。
【００４５】
本発明で用いるインクジェットプリンタは、前記の捕捉部材を配置可能である限り特に限定されず、通常のプリンタをそのまま利用することができる。インクジェット記録方式の種類も限定されず、記録信号によってピエゾ振動子を振動させることによって液滴を噴射させる装置、あるいは、記録ヘッド室内の記録液に記録信号に対応した熱エネルギーを与え、そのエネルギーにより液滴を発生させる装置などに利用することができる。
【産業上の利用可能性】
【００４６】
本発明の捕捉部材支持プレートは、例えば、インクジェット記録方式による縁無印刷において、記録媒体以外の領域に吐出されるインク滴を直接に着弾させて捕捉する捕捉部材を収容して支持するプレートとして利用することができ、その捕捉部材に捕捉されたインク液を捕捉部材から廃インクタンクに円滑に排出させることができるので、捕捉部材の長期使用が可能になる。
【図面の簡単な説明】
【００４７】
【図１】インクジェット記録方式による縁無印刷の工程を模式的に示す要部拡大斜視図である。
【図２】図１（Ａ）の状態の模式的要部側面図である。
【図３】代表的なインクジェット記録装置の斜視図である。
【図４】図３に示すインクジェット記録装置の印刷機構部の部分平面図である。
【図５】図３に示すインクジェット記録装置の印刷機構部の部分断面図である。
【図６】従来の捕捉部材支持プレートの模式的平面図である。
【図７】図６の捕捉部材支持プレートと、その捕捉部材支持プレートに収納可能な捕捉部材とを分離して示す模式的分解斜視図である。
【図８】図７の捕捉部材支持プレートに捕捉部材を収納し、更に記録用紙を搬送した状態を示すVIII−VIII線断面図である。
【図９】狭角を示す説明図である。
【図１０】接線が外接する弧を示す説明図である。
【図１１】複合形の一態様を示す説明図である。
【図１２】四角柱型突出小片の部分斜視図である。
【図１３】別の態様の四角柱型突出小片の部分斜視図である。
【図１４】更に別の態様の四角柱型突出小片の部分斜視図である。
【図１５】半円柱型突出小片の部分斜視図である。
【図１６】半円錐型突出小片の部分斜視図である。
【図１７】三角柱型突出小片の部分斜視図である。
【図１８】尖鋭先端部を備えた三角柱型突出小片の部分斜視図である。
【図１９】Ｖ字形陥没小溝の部分斜視図である。
【図２０】半円柱形陥没小溝の部分斜視図である。
【符号の説明】
【００４８】
１・・・ケースカバー；２，３・・・インクカートリッジ；４・・・キャリッジ；
４Ａ・・・記録ヘッド；５・・・プラテン；５ａ，５ｂ，５ｃ・・・プラテン開口部；  ６・・・第１の紙押えローラ；７・・・第２の紙押えローラ；
８・・・支持部材；８ａ・・・支持部材開口部
９・・・廃インクタンク；１０，１０Ａ・・・インクジェット記録装置；
１１・・・記録用紙；１１ａ・・・記録用紙の前縁部；１１ｂ・・・記録用紙の側縁部；１１ｃ・・・記録用紙の後縁部；１２・・・ガイド軸；１３・・・記録ヘッド；
１４・・・キャリッジ；１９・・・インク滴；２０・・・捕捉部材；
２１・・・捕捉部材の中央開口部；
３０・・・捕捉部材；３１・・・インク液捕捉領域
４１，４２，４３・・・四角柱型突出小片；
４１Ａ，４２Ａ，４３Ａ・・・四角柱型突出小片の上面部；
４１ａ，４２ａ，４３ａ・・・四角柱型突出小片上端部側の四角柱状上部；
４１ｂ，４２ｂ，４３ｂ・・・四角柱型突出小片下端部側の尖鋭先端部；
４４・・・半円柱型突出小片；
４４Ａ・・・半円柱型突出小片の上面部；
４４ａ・・・半円柱型突出小片上端部側の半円柱状上部；
４４ｂ・・・半円柱型突出小片下端部側の尖鋭先端部；
４５・・・半円錐型突出小片；
４５Ａ・・・半円錐型突出小片の上面部；
４５ｂ・・・半円錐型突出小片下端部側の尖鋭先端部；
４６・・・三角柱型突出小片；
４６Ａ・・・三角柱型突出小片の上面部；
４７・・・三角柱型突出小片；
４７Ａ・・・三角柱型突出小片の上面部；
４７ｂ・・・尖鋭先端部を備えた三角柱型突出小片；
５１・・・捕捉部材支持プレート；
５２・・・外周フレーム；
５２Ａ・・・外周フレームの上面；
５３・・・中央搬送台部；
５３Ａ・・・中央搬送台部上面；
６１・・・Ｖ字形陥没小溝；
６１Ａ・・・貫通開口部の内側壁面の上端部；
６１Ｂ・・・貫通開口部の内側壁面の上端部から下端部；
６２・・・半円柱形陥没小溝；
６２Ａ・・・貫通開口部の内側壁面上端部；
６２Ｂ・・・貫通開口部の内側壁面下端部６２Ｂ；
８１・・・収容底部；
８１Ａ・・・収容底部の上面；
８２，８２ａ〜８２ｈ・・・貫通開口部；
８３Ａ・・・貫通開口部の内側壁面。
【図１】
2006256113.tif 000003
【図２】
2006256113.tif 000004
【図３】
2006256113.tif 000005
【図４】
2006256113.tif 000006
【図５】
2006256113.tif 000007
【図６】
2006256113.tif 000008
【図７】
2006256113.tif 000009
【図８】
2006256113.tif 000010
【図９】
2006256113.tif 000011
【図１０】
2006256113.tif 000012
【図１１】
2006256113.tif 000013
【図１２】
2006256113.tif 000014
【図１３】
2006256113.tif 000015
【図１４】
2006256113.tif 000016
【図１５】
2006256113.tif 000017
【図１６】
2006256113.tif 000018
【図１７】
2006256113.tif 000019
【図１８】
2006256113.tif 000020
【図１９】
2006256113.tif 000021
【図２０】
2006256113.tif 000022